(57)【要約】【課題】レンズユニットにおいて、簡易かつ安価な構成で、レンズ鏡筒とレンズホルダーとの間のがたつきを抑制した構成とする。【解決手段】レンズユニットにおいて、レンズを保持するレンズ鏡筒と、前記レンズ鏡筒と螺合することで前記レンズ鏡筒を保持するレンズホルダーと、を備え、前記レンズ鏡筒またはレンズホルダーの少なくとも一方には、前記レンズ鏡筒と前記レンズホルダーとが互いに離れる方向に付勢する板ばねが一体形成された構成とする。【選択図】図１
2020122893.tif 000002
【特許請求の範囲】
【請求項１】
レンズを保持するレンズ鏡筒と、
前記レンズ鏡筒と螺合することで前記レンズ鏡筒を保持するレンズホルダーと、を備え、
前記レンズ鏡筒またはレンズホルダーの少なくとも一方には、前記レンズ鏡筒と前記レンズホルダーとが互いに離れる方向に付勢する板ばねが一体形成されている、
レンズユニット。
【請求項２】
前記板ばねは、前記レンズ鏡筒に形成される、
請求項１に記載のレンズユニット。
【請求項３】
前記レンズ鏡筒は、軸方向に延びた円筒状部分を有し、
前記板ばねは、
前記円筒状部分から径方向外側に突出する突出部と、
前記突出部の端部から前記円筒状部分の周方向に円弧状に延びる円弧部と、を有する、
請求項２に記載のレンズユニット。
【請求項４】
前記突出部は、周方向に均等間隔に複数形成されており、
前記円弧部は、複数の前記突出部のそれぞれの端部から、隣接した前記突出部の近傍まで延びるよう複数形成されている、
請求項３に記載のレンズユニット。
【請求項５】
前記突出部は、周方向に均等間隔に３つ形成されている、
請求項４に記載のレンズユニット。
【請求項６】
複数の前記円弧部は、周方向において９０度以上１２０度未満の範囲で延びるよう形成されている、
請求項５に記載のレンズユニット。
【請求項７】
前記レンズホルダーまたは前記レンズ鏡筒は、前記板ばねと当接しうる円環状部分に、周方向に連続的に形成された複数の溝部を有しており、
前記板ばねは、前記溝部に対向する位置に、前記溝部に係合する突起部を有する、
請求項１から請求項３のいずれか１項に記載のレンズユニット。
【請求項８】
前記レンズホルダーは、前記板ばねと当接しうる円環状部分に、周方向に連続的に形成された複数の溝部を有しており、
複数の前記円弧部は、それぞれ、前記円弧部の端部近傍の前記溝部に対向する位置に、前記溝部に係合する突起部を有する、
請求項４から請求項６のいずれか１項に記載のレンズユニット。
【請求項９】
前記溝部は、滑らかな湾曲形状の凹凸で形成され、
前記突起部は、滑らかな湾曲形状である、
請求項７または請求項８に記載のレンズユニット。
【請求項１０】
請求項１から請求項９のいずれか１項に記載のレンズユニットと、
撮像素子と、を備える、
撮像装置。
【発明の詳細な説明】
【技術分野】
【０００１】
本発明の一態様は、レンズユニット、及びレンズユニットを備える撮像装置等に関する。
【背景技術】
【０００２】
従来から、レンズを保持するレンズ鏡筒と、レンズ鏡筒を保持するレンズホルダーを有するレンズユニットがある。このようなレンズユニットでは、レンズホルダーとレンズ鏡筒とを螺合させて連結させる構成とすることがある。このとき、レンズホルダーとレンズ鏡筒とのがたつきを防止するために、レンズホルダーとレンズ鏡筒との間にスプリングを配置する構成を採用することがある。このような構成は、特許文献１などに開示されている。
【先行技術文献】
【特許文献】
【０００３】
【特許文献１】特開２００６−９１３４０号公報
【発明の概要】
【発明が解決しようとする課題】
【０００４】
上記従来の構成のように、レンズホルダーとレンズ鏡筒との間にスプリングを配置する構成では、スプリングを独立した部材として準備する必要があるため、構成が複雑になり、高コストな構成となることがあった。
【課題を解決するための手段】
【０００５】
本発明は、上記の課題などを解決するために次のような手段を採る。なお、以下の説明において、発明の理解を容易にするために図面中の符号等を括弧書きで付記するが、本発明の各構成要素はこれらの付記したものに限定されるものではなく、当業者が技術的に理解しうる範囲にまで広く解釈されるべきものである。
【０００６】
本発明の一の手段は、
レンズを保持するレンズ鏡筒（２）と、
前記レンズ鏡筒と螺合することで前記レンズ鏡筒を保持するレンズホルダー（１）と、を備え、
前記レンズ鏡筒またはレンズホルダーの少なくとも一方には、前記レンズ鏡筒と前記レンズホルダーとが互いに離れる方向に付勢する板ばね（２２ａ、２２ｂ、２２ｃ）が一体形成されている、
レンズユニットである。
【０００７】
上記構成のレンズユニットによれば、レンズ鏡筒またはレンズホルダーに板ばねが一体形成されているため、別部材としてスプリング等を準備する構成と比較して、簡易かつ低コストにしつつ、レンズ鏡筒とレンズホルダーとの間のがたつきを抑制した構成にすることができる。
【０００８】
上記レンズユニットにおいて、好ましくは、
前記板ばね（２２ａ、２２ｂ、２２ｃ）は、前記レンズ鏡筒（２）に形成される。
【０００９】
上記レンズユニットにおいて、好ましくは、
前記レンズ鏡筒（２）は、軸方向に延びた円筒状部分（２３）を有し、
前記板ばねは、
前記円筒状部分から径方向外側に突出する突出部（２２１ａ、２２１ｂ、２２１ｃ）と、
前記突出部の端部から前記円筒状部分の周方向に円弧状に延びる円弧部（２２２ａ、２２２ｂ、２２２ｃ）と、を有する。
【００１０】
上記構成のレンズユニットによれば、省スペースな形状で板ばねを形成しながら、円弧部によってレンズ鏡筒に対してレンズホルダーを付勢する構成とすることができる。
【００１１】
上記レンズユニットにおいて、好ましくは、
前記突出部（２２１ａ、２２１ｂ、２２１ｃ）は、周方向に均等間隔に複数形成されており、
前記円弧部（２２２ａ、２２２ｂ、２２２ｃ）は、複数の前記突出部のそれぞれの端部から、隣接した前記突出部の近傍まで延びるよう複数形成されている。
【００１２】
上記構成のレンズユニットによれば、十分長い円弧部を有する構成とすることができるため、板ばねとして機能する円弧部に与えられる応力を分散させることが可能となり、高い強度を有する構成にすることができる。
【００１３】
上記レンズユニットにおいて、好ましくは、
前記突出部（２２１ａ、２２１ｂ、２２１ｃ）は、周方向に均等間隔に３つ形成されている。
【００１４】
上記構成のレンズユニットによれば、レンズ鏡筒に対してレンズホルダーをバランス良く付勢可能な構成にすることができる。
【００１５】
上記レンズユニットにおいて、好ましくは、
複数の前記円弧部（２２２ａ、２２２ｂ、２２２ｃ）は、周方向において９０度以上１２０度未満の範囲で延びるよう形成されている。
【００１６】
上記構成のレンズユニットによれば、十分長い円弧部を有する構成とすることができるため、板ばねとして機能する円弧部に与えられる応力を分散させることが可能となり、高い強度を有する構成にすることができる。
【００１７】
上記レンズユニットにおいて、好ましくは、
前記レンズホルダーまたは前記レンズ鏡筒は、前記板ばねと当接しうる円環状部分に、周方向に連続的に形成された複数の溝部（１４）を有しており、
前記板ばねは、前記溝部に対向する位置に、前記溝部に係合する突起部（２２４ａ、２２４ｂ、２２４ｃ）を有する。
【００１８】
上記構成のレンズユニットによれば、レンズホルダーの溝部と、レンズ鏡筒側の突起部とが係合することで、レンズホルダーとレンズ鏡筒との位置を安定可能な構成にすることができる。
【００１９】
上記レンズユニットにおいて、好ましくは、
前記レンズホルダーは、前記板ばねと当接しうる円環状部分に、周方向に連続的に形成された複数の溝部（１４）を有しており、
複数の前記円弧部は、それぞれ、前記円弧部の端部近傍の前記溝部に対向する位置に、前記溝部に係合する突起部を有する。
【００２０】
上記構成のレンズユニットによれば、レンズホルダーの溝部と、レンズ鏡筒側の突起部とが係合することで、レンズホルダーとレンズ鏡筒との位置を安定可能な構成にすることができる。
【００２１】
上記レンズユニットにおいて、好ましくは、
前記溝部は、滑らかな湾曲形状の凹凸で形成され、
前記突起部は、滑らかな湾曲形状である。
【００２２】
上記構成のレンズユニットによれば、溝部と突起部との係合位置を変化させる際に、スムースに変化させることが可能となる。
【００２３】
本発明の一手段は、上記いずれかに記載のレンズユニットと、撮像素子とを備える撮像装置である。
【００２４】
上記構成の撮像装置によれば、簡易かつ低コストにしつつ、レンズ鏡筒とレンズホルダーとの間のがたつきを抑制した構成にすることなどが可能となる。
【図面の簡単な説明】
【００２５】
【図１】図１は、実施形態１のレンズユニットを被写体側から見た外観斜視図である。
【図２】図２は、実施形態１のレンズホルダーを被写体側から見た外観斜視図である。
【図３】図３は、実施形態１のレンズホルダーを撮像素子側から見た外観斜視図である。
【図４】図４は、実施形態１のレンズ鏡筒を被写体側から見た外観斜視図である。
【図５】図５は、実施形態１のレンズ鏡筒を撮像素子側から見た外観斜視図である。
【図６】図６は、実施形態１のレンズ鏡筒を撮像素子側から見た平面図である。
【図７】図７は、実施形態１のレンズ鏡筒を側面から見た平面図である。
【図８】図８は、実施形態１のレンズ鏡筒の側面からの断面図である。
【図９】図９は、実施形態２のレンズユニットを被写体側から見た外観斜視図である。
【図１０】図１０は、実施形態２のレンズホルダーを被写体側から見た外観斜視図である。
【図１１】図１１は、実施形態２のレンズホルダーを撮像素子側から見た外観斜視図である。
【図１２】図１２は、実施形態２のレンズ鏡筒を被写体側から見た外観斜視図である。
【図１３】図１３は、実施形態２のレンズ鏡筒を撮像素子側から見た外観斜視図である。
【図１４】図１４は、実施形態２のレンズ鏡筒を撮像素子側から見た平面図である。
【図１５】図１５は、実施形態２のレンズ鏡筒を側面から見た平面図である。
【図１６】図１６は、実施形態２のレンズ鏡筒の側面からの断面図である。
【図１７】図１７は、実施形態２のレンズユニットを側面から見た平面図である。
【図１８】図１８は、実施形態２のレンズユニットの溝部と突起部との係合箇所の拡大図である。
【発明を実施するための形態】
【００２６】
本発明のレンズユニットは、レンズ鏡筒に、周方向に円弧状に延びる円弧部を含む板ばねが一体形成され、この板ばねによってレンズホルダーを付勢する構成となっている点を特徴のひとつとする。
【００２７】
本明細書では、レンズユニットに含まれるレンズの中心位置であって、撮像装置を構成したときに撮像素子に入射する光の中心位置を「光軸」と称する。レンズに対して撮像素子とは反対側に位置する撮像対象を「被写体」と称する。撮像素子に対して被写体が位置する方向を「光軸方向前方」、「フロント側」または「被写体側」と称し、被写体に対して撮像素子が位置する方向を「光軸方向後方」、「リア側」または「撮像素子側」と称する。
【００２８】
本発明の具体的な構成例としての実施形態について、以下の構成にしたがって説明する。ただし、以下で説明する実施形態はあくまで本発明の一例にすぎず、本発明の技術的範囲を限定的に解釈させるものではない。なお、各図面において、同一の構成要素には同一の符号を付しており、その説明を省略する場合がある。
１．実施形態１
２．実施形態２
３．本発明の特徴
４．補足事項
【００２９】
＜１．実施形態１＞
本発明の実施形態１について、図１〜図８を参照しながら説明する。図１は、本実施形態のレンズユニットを被写体側から見た外観斜視図である。図２及び図３は、本実施形態のレンズホルダーの外観斜視図であって、図２は被写体側から見た図、図３は撮像素子側から見た図である。図４及び図５は、本実施形態のレンズ鏡筒の外観斜視図であって、図４は被写体側から見た図、図５は撮像素子側から見た図である。図６は、本実施形態のレンズ鏡筒を撮像素子側からみた平面図である。図７は、本実施形態のレンズ鏡筒を側面から見た平面図である。図８は、本実施形態のレンズ鏡筒の断面図であって、図６のＡ−Ａの箇所における断面図である。
【００３０】
図示されるように、本実施形態のレンズユニットは、レンズホルダー１及びレンズ鏡筒２を含んで構成される。
【００３１】
＜レンズホルダー１＞
レンズホルダー１は、レンズ鏡筒２を保持する。外形が円筒状になった被写体側の部分と、外形が矩形状になった撮像素子側の部分とを含む。レンズホルダー１は、光軸を中心に円筒状に延びる開口部１１を有する。開口部１１の径方向内側には、螺旋状の溝部からなるねじ山１２が形成される。レンズホルダー１は、金属、または樹脂で形成される。
【００３２】
レンズホルダー１の開口部１１には、被写体側から撮像素子側に向かってレンズ鏡筒２が挿入される。レンズホルダー１のねじ山１２には、レンズ鏡筒２のねじ山２４がねじ嵌合する。つまり、レンズホルダー１に対してレンズ鏡筒２を回転させることで、レンズ鏡筒２がレンズホルダーにねじ込まれる。
【００３３】
レンズホルダー１及びレンズ鏡筒２を含む撮像装置においては、レンズホルダー１の撮像素子側に基板（図示省略）が配置される。基板の、光軸を中心とする位置には、撮像素子（図示省略）が配置される。撮像素子は、例えばＣ−ＭＯＳセンサやＣＣＤなどであるが、これらに限定されるものではない。撮像素子は、レンズ鏡筒２に保持されたレンズ２１を透過した光を受光し、電気信号に変換して出力する、光電変換素子である。なお、撮像装置においては、撮像機能を要する撮像素子以外の撮像部を採用してもよい。
【００３４】
＜レンズ鏡筒２＞
レンズ鏡筒２は、１以上のレンズ２１を保持する。レンズ鏡筒２は、光軸方向に円筒状に延びる円筒状部分２３と、円筒状部分から径方向外側に広がるよう形成された板ばね２２ａ、２２ｂ、及び２２ｃを有する。
【００３５】
板ばね２２ａ、２２ｂ、及び２２ｃは、光軸方向に弾性を有する。板ばね２２ａは、突出部２２１ａ、円弧部２２２ａ、及び突起部２２３ａを含んで構成される。突出部２２１ａは、円筒状部分２３から径方向外側に、径方向に延びるよう形成される。突出部２２１ａの径方向外側の端部からは、円筒状部分２３の周に沿って円弧状に円弧部２２２ａが延びている。円弧部２２２ａの周方向の端部近傍には、軸方向の撮像素子側に、突起部２２３ａが形成される。
【００３６】
上記と同様に、板ばね２２ｂ及び２２ｃは、突出部２２１ｂ及び２２１ｃ、円弧部２２２ｂ及び２２２ｃ、並びに突起部２２３ｂ及び２２３ｃをそれぞれ含んで構成される。
【００３７】
突出部２２１ａ、２２１ｂ、及び２２２ｃ、並びに円弧部２２２ａ、２２２ｂ、及び２２２ｃは、板状に形成されている。レンズ鏡筒２がレンズホルダー１とねじ嵌合により連結された状態では、突起部２２３ａ、２２３ｂ、及び２２３ｃは、いずれもレンズホルダー１の円環状部分１３に当接する。このとき、板ばね２２ａ、２２ｂ、及び２２ｃは軸方向に撓んで、レンズ鏡筒２に対してレンズホルダー１を撮像素子側に付勢する。板ばね２２ａ、２２ｂ、及び２２ｃは、特に円弧部２２２ａ、２２２ｂ、及び２２２ｃが撓むことで付勢力を発生させる。
【００３８】
レンズ鏡筒２は、３つの板ばね２２ａ、２２ｂ、及び２２ｃを有しており、これらは周方向に均等に形成される。つまり、突出部２２１ａ、２２１ｂ、及び２２１ｃは、光軸に垂直な平面視において、１２０度の位置関係で配置される。円弧部２２２ａ、２２２ｂ、及び２２２ｃは、それぞれ隣接した突出部２２１ｂ、２２１ｃ、及び２２１ａの近傍まで延びるよう形成されている。つまり、円弧部２２２ａ、２２２ｂ、及び２２２ｃは、周方向に、１２０度よりもやや小さい角度をなすよう、円弧状に延びる。より具体的には、円弧部２２２ａ、２２２ｂ、及び２２２ｃは、周方向において９０度以上１２０度未満の範囲で延びるよう形成されている。
【００３９】
板ばね２２ａ、２２ｂ、及び２２ｃは、レンズ鏡筒２と一体的に形成される。板ばね２２ａ、２２ｂ、及び２２ｃを含むレンズ鏡筒２は、例えば、射出形成により樹脂で形成される。なお、レンズ鏡筒２は、射出形成により金属で形成されてもよいし、射出形成によらず樹脂または金属で形成されてもよい。
【００４０】
＜２．実施形態２＞
次に、本発明の実施形態２について説明する。本実施形態のレンズユニットは、実施形態１と類似の構成であるが、レンズホルダー１００及びレンズ鏡筒２００を含んで構成される。実施形態１のレンズユニットと比較すると、レンズホルダー１００が溝部１４を有する構成となっており、レンズ鏡筒２が溝部１４に係合する突起部２２４ａ、２２４ｂ、及び２２４ｃを有する構成となっている点で相違し、それ以外の構成については共通である。以下の説明では、本実施形態のレンズユニットが実施形態１の構成と相違する点を中心に説明し、実施形態１と共通の構成及び機能についてはその説明を省略する。
【００４１】
図９〜図１８は、本実施形態のレンズユニットを示す図である。図９は、本実施形態のレンズユニットを被写体側から見た外観斜視図である。図１０及び図１１は、本実施形態のレンズホルダーの外観斜視図であって、図１０は被写体側から見た図、図１１は撮像素子側から見た図である。図１２及び図１３は、本実施形態のレンズ鏡筒の外観斜視図であって、図１２は被写体側から見た図、図１３は撮像素子側から見た図である。図１４は、本実施形態のレンズ鏡筒を撮像素子側からみた平面図である。図１５は、本実施形態のレンズ鏡筒を側面から見た平面図である。図１６は、本実施形態のレンズ鏡筒の断面図であって、図１４のＡ−Ａの箇所における断面図である。図１７は、本実施形態のレンズユニットを側方から見た平面図である。図１８は、図１７における「Ｇ」の箇所の拡大図である。
【００４２】
＜レンズホルダー１００＞
レンズホルダー１００は、円環状部分１３に形成された溝部１４を有する。溝部１４は、円環状部分１３に形成された滑らかな湾曲形状の凹凸により構成される。溝部１４は、周方向に連続的に形成された凹凸形状になっている。より具体的には、溝部１４は、先端部分が円状に湾曲した山なり形状になっている。レンズホルダー１００とレンズ鏡筒２００とが組み立てられた状態において、溝部１４は、後述のレンズ鏡筒２００の突起部２２４ａ、２２４ｂ、及び２２４ｃと係合する。つまり、溝部１４は、突起部２２４ａ、２２４ｂ、及び２２４ｃと係合可能なように、隣接する溝部１４の間隔が、突起部２２４ａ、２２４ｂ、及び２２４ｃの周方向の大きさよりも小さくなるよう、形成されている。
【００４３】
＜レンズ鏡筒２００＞
レンズ鏡筒２００は、円弧部２２２ａ、２２２ｂ、及び２２２ｃの周方向の端部近傍には、軸方向の撮像素子側に、突起部２２４ａ、２２４ｂ、及び２２４ｃが形成される。これらの突起部２２４ａ、２２４ｂ、及び２２４ｃは、実施形態１の突起部２２３ａ、２２３ｂ、及び２２３ｃに置き換えられるよう配置されている。
【００４４】
突起部２２４ａ、２２４ｂ、及び２２４ｃの先端部であって、溝部１４と対向する部分は滑らかな湾曲形状で形成される。突起部２２４ａ、２２４ｂ、及び２２４ｃの先端部は、半円状に湾曲している。
【００４５】
＜溝部１４と突起部２２４ａ、２２４ｂ、及び２２４ｃとの係合＞
レンズホルダー１００にレンズ鏡筒２００をねじ込みながらねじ嵌合させると、ある程度ねじ込んだ状態で溝部１４と突起部２２４ａ、２２４ｂ、及び２２４ｃとが当接する。溝部１４と突起部２２４ａ、２２４ｂ、及び２２４ｃとが当接すると、溝部１４と突起部２２４ａ、２２４ｂ、及び２２４ｃとの周方向の当接により、レンズホルダー１００に対してレンズ鏡筒２００を回転させる際の抵抗が発生する。また、レンズホルダー１００とレンズ鏡筒２００との間には、互いに軸方向に離れる方向に、板ばね２２ａ、２２ｂ、及び２２ｃによる付勢力が発生する。この状態から、レンズホルダー１００に対してレンズ鏡筒２００をねじ込もうとすると、溝部１４及び突起部２２４ａ、２２４ｂ、及び２２４ｃにより発生する抵抗に抗しながら、かつレンズホルダー１００とレンズ鏡筒２００との間の付勢力に抗しながら、ねじ込むこととなる。レンズホルダー１００に対してレンズ鏡筒２００が一定以上ねじ込まれると、板ばね２２ａ、２２ｂ、及び２２ｃによる付勢力、並びに、溝部１４と突起部２２４ａ、２２４ｂ、及び２２４ｃとの係合で発生する抵抗力により、レンズホルダー１００とレンズ鏡筒２００との位置が安定する。
【００４６】
＜３．本発明の特徴＞
上記実施形態及び変形例で示した具体的構成を含む本発明は、以下のような特徴を有する。
【００４７】
本発明のレンズユニットでは、レンズ鏡筒２と一体形成された板ばね２２ａ、２２ｂ、及び２２ｃによりレンズホルダー１が付勢される構成としている。この構成により、別部材のスプリング等によりレンズホルダー１及びレンズ鏡筒２を付勢する構成と比較して、簡易かつ低コストにしつつ、レンズ鏡筒２とレンズホルダー１との間のがたつきを抑制した構成となっている。
【００４８】
なお、実施形態では、レンズ鏡筒２に板ばね２２ａ、２２ｂ、及び２２ｃが一体形成された構成を例示して説明したが、これらの板ばねは、レンズホルダー１と一体形成されてもよい。このとき、レンズホルダー１に形成された板ばねが、レンズ鏡筒２を付勢する構成となる。
【００４９】
また、本発明のレンズユニットでは、板ばね２２ａ、２２ｂ、及び２２ｃが突出部２２１ａ、２２１ｂ、及び２２１ｃと円弧部２２２ａ、２２２ｂ、及び２２２ｃを含む構成としている。この構成により、省スペースな形状で板ばね２２ａ、２２ｂ、及び２２ｃを形成しながら、円弧部２２２ａ、２２２ｂ、及び２２２ｃによってレンズ鏡筒２に対してレンズホルダー１を付勢する構成となっている。
【００５０】
また、本発明のレンズユニットでは、突出部２２１ａ、２２１ｂ、及び２２１ｃが周方向に均等間隔に形成されており、突出部２２１ａ、２２１ｂ、及び２２１ｃの端部から隣接した突出部２２１ｂ、２２１ｃ、及び２２１ａの端部近傍まで円弧部２２２ａ、２２２ｂ、及び２２２ｃが延びるよう形成された構成としている。この構成により、十分長い円弧部２２２ａ、２２２ｂ、及び２２２ｃを有する構成とすることができるため、板ばねとして機能する円弧部２２２ａ、２２２ｂ、及び２２２ｃに与えられる応力を分散させることが可能となり、高い強度を有する構成となっている。
【００５１】
なお、実施形態では３つの板ばね２２ａ、２２ｂ、及び２２ｃが形成された構成を例示して説明したが、板ばねの数は３つ以外であってもよい。つまり、レンズ鏡筒２が、１つ、２つ、または４以上の板ばねを有する構成としてもよい。また、レンズホルダー１が１以上の板ばねを有する構成としてもよい。ただし、３つの板ばね２２ａ、２２ｂ、及び２２ｃを有する構成とすると、レンズ鏡筒２に対してレンズホルダー１をバランス良く付勢可能な構成にすることができるため好ましい。
【００５２】
また、本発明のレンズユニットでは、円弧部２２２ａ、２２２ｂ、及び２２２ｃが、それぞれ周方向において９０度以上１２０度未満の範囲で延びるよう形成された構成となっている。この構成により、十分長い円弧部２２２ａ、２２２ｂ、及び２２２ｃを有する構成とすることができるため、板ばねとして機能する円弧部２２２ａ、２２２ｂ、及び２２２ｃに与えられる応力を分散させることが可能となり、高い強度を有する構成にすることができる。
【００５３】
また、本発明のレンズユニットでは、レンズ鏡筒２の円環状部分１３に溝部１４が形成され、板ばね２２ａ、２２ｂ、及び２２ｃが、溝部１４に係合する突起部２２４ａ、２２４ｂ、及び２２４ｃを有する構成としている。この構成により、レンズホルダー１の溝部１４と、レンズ鏡筒２側の突起部２２４ａ、２２４ｂ、及び２２４ｃとが係合することで、レンズホルダー１とレンズ鏡筒２との位置を安定可能な構成となっている。
【００５４】
また、本発明のレンズユニットでは、溝部１４が滑らかな湾曲形状の凹凸で形成され、突起部２２４ａ、２２４ｂ、及び２２４ｃが滑らかな湾曲形状で形成された構成としている。この構成により、溝部１４と突起部２２４ａ、２２４ｂ、及び２２４ｃとの係合位置を変化させる際に、スムースに変化させることが可能となる。
【００５５】
また、本発明のレンズユニットは、撮像素子を含む撮像装置として好適に適用される。このようなレンズユニットを含む撮像装置では、例えば、簡易かつ低コストにしつつ、レンズ鏡筒２とレンズホルダー１との間のがたつきを抑制した構成にすることなどが可能となる。
【００５６】
＜４．補足事項＞
以上、本発明の実施形態、及び本発明の構成における特徴についての説明を行った。上記説明では、あくまで本発明の一例の説明であって、本発明の範囲は上記内容に留まらず、各実施形態の記載の内容に基づいて当業者が把握可能な範囲にまで広く解釈されるものである。
【産業上の利用可能性】
【００５７】
本発明は、撮像装置に用いられるレンズユニット、及び撮像装置などとして好適に利用される。
【符号の説明】
【００５８】
１、１００…レンズホルダー
１１…開口部
１２…ねじ山
１３…円環状部分
１４…溝部
２、２００…レンズ鏡筒
２１…レンズ
２２ａ、２２ｂ、２２ｃ…板ばね
２２１ａ、２２１ｂ、２２１ｃ…突出部
２２２ａ、２２２ｂ、２２２ｃ…円弧部
２２３ａ、２２３ｂ、２２３ｃ、２２４ａ、２２４ｂ、２２４ｃ…突起部
２３…円筒状部分
２４…ねじ山
【図１】
2020122893.tif 000003
【図２】
2020122893.tif 000004
【図３】
2020122893.tif 000005
【図４】
2020122893.tif 000006
【図５】
2020122893.tif 000007
【図６】
2020122893.tif 000008
【図７】
2020122893.tif 000009
【図８】
2020122893.tif 000010
【図９】
2020122893.tif 000011
【図１０】
2020122893.tif 000012
【図１１】
2020122893.tif 000013
【図１２】
2020122893.tif 000014
【図１３】
2020122893.tif 000015
【図１４】
2020122893.tif 000016
【図１５】
2020122893.tif 000017
【図１６】
2020122893.tif 000018
【図１７】
2020122893.tif 000019
【図１８】
2020122893.tif 000020